(57)【要約】  パイロット信号を構成する方法は、第１パイロット信号配置を定義し、第２パイロット信号配置を定義することを含む。また、当該方法は、通信コントローラが、定義された第１パイロット信号配置、定義された第２パイロット信号配置及び特性セットに従って第１決定パイロット信号配置を決定し、通信コントローラが、第１決定パイロット信号配置を有するパイロット信号を送信することを含む。
2016517200.tif 000002
【特許請求の範囲】
【請求項１】
パイロット信号を構成する方法であって、
第１パイロット信号配置を定義するステップと、
第２パイロット信号配置を定義するステップと、
通信コントローラが、前記定義された第１パイロット信号配置、前記定義された第２パイロット信号配置及び特性セットに従って第１決定パイロット信号配置を決定するステップと、
前記通信コントローラが、前記第１決定パイロット信号配置を有するパイロット信号を送信するステップと、
を有する方法。
【請求項２】
前記定義された第１パイロット信号配置は、周波数領域のパイロット信号配置を有する、請求項１記載の方法。
【請求項３】
前記定義された第２パイロット信号配置は、時間領域のパイロット信号配置を有する、請求項２記載の方法。
【請求項４】
前記第１決定パイロット信号配置は、前記定義された第１パイロット信号配置、前記定義された第２パイロット信号配置及び前記特性セットに従ってユーザ装置により決定された第２決定パイロット信号配置と同一である、請求項１記載の方法。
【請求項５】
前記通信コントローラが、前記定義された第１パイロット信号配置及び前記定義された第２パイロット信号配置を前記ユーザ装置に送信するステップを更に有する、請求項４記載の方法。
【請求項６】
前記通信コントローラが、前記特性セットの第１特性サブセットを前記ユーザ装置から受信するステップと、
前記通信コントローラが、前記特性セットの第２特性サブセットを前記ユーザ装置に送信するステップと、
を更に有する、請求項４記載の方法。
【請求項７】
前記第２特性サブセットは、ネットワーク又は環境特性を有し、前記第１特性サブセットは、環境又はユーザ装置特性を有する、請求項６記載の方法。
【請求項８】
前記通信コントローラが、前記特性セットの第１特性サブセットを受信するステップを更に有する、請求項１記載の方法。
【請求項９】
前記通信コントローラが、前記定義された第１パイロット信号配置及び前記定義された第２パイロット信号配置を送信するステップを更に有する、請求項１記載の方法。
【請求項１０】
前記通信コントローラが、前記第１決定パイロット信号配置を送信するステップを更に有する、請求項１記載の方法。
【請求項１１】
前記特性セットは、複数のネットワーク特性、環境特性及び複数のユーザ装置特性を有する、請求項１記載の方法。
【請求項１２】
前記複数のネットワーク特性は、前記通信コントローラの送信タイプ、リソースブロックサイズ、変調符号化方式（ＭＣＳ）レベル及び送信時間間隔からなる群から選ばれる、請求項１１記載の方法。
【請求項１３】
前記環境特性は、チャネル遅延スプレッド特性を有する、請求項１１記載の方法。
【請求項１４】
前記複数のユーザ装置特性は、前記ユーザ装置のチャネル推定能力及び前記ユーザ装置のモビリティからなる群から選ばれる、請求項１１記載の方法。
【請求項１５】
パイロット信号を構成する方法であって、
第１パイロット信号配置を定義するステップと、
第２パイロット信号配置を定義するステップと、
ユーザ装置が、前記定義された第１パイロット信号配置、前記定義された第２パイロット信号配置及び特性セットに従って第１決定パイロット信号配置を決定するステップと、
前記ユーザ装置が、前記第１決定パイロット信号配置を有するパイロット信号を通信するステップと、
を有する方法。
【請求項１６】
前記第１決定パイロット信号配置は、前記定義された第１パイロット信号配置、前記定義された第２パイロット信号配置及び前記特性セットに従って通信コントローラにより決定された第２決定パイロット信号配置と同一である、請求項１５記載の方法。
【請求項１７】
前記定義された第１パイロット信号配置は、周波数領域のパイロット信号配置を有し、前記定義された第２パイロット信号配置は、時間領域のパイロット信号配置を有する、請求項１５記載の方法。
【請求項１８】
前記ユーザ装置が、前記第１決定パイロット信号配置を送信するステップを更に有する、請求項１５記載の方法。
【請求項１９】
前記ユーザ装置が、前記定義された第１パイロット信号配置及び前記定義された第２パイロット信号配置を送信するステップを更に有する、請求項１５記載の方法。
【請求項２０】
前記ユーザ装置が、前記特性セットの複数の特性を受信するステップを更に有する、請求項１５記載の方法。
【請求項２１】
前記ユーザ装置がパイロット信号を通信するステップは、前記ユーザ装置が前記パイロット信号を受信することを含む、請求項１５記載の方法。
【請求項２２】
前記ユーザ装置がパイロット信号を通信するステップは、前記ユーザ装置が前記パイロット信号を送信することを含む、請求項１５記載の方法。
【請求項２３】
パイロット信号を構成する方法であって、
ノードが、特性セットを受信するステップと、
前記特性セット、第１パイロット信号配置及び第２パイロット信号配置に従って前記パイロット信号の周波数領域密度を決定するステップと、
前記ノードが、前記決定された周波数領域密度により前記パイロット信号を通信するステップと、
を有する方法。
【請求項２４】
パイロット信号を構成する方法であって、
ノードが、特性セットを受信するステップと、
前記特性セット、第１パイロット信号配置及び第２パイロット信号配置に従って前記パイロット信号の時間領域密度を決定するステップと、
前記ノードが、前記決定された時間領域密度により前記パイロット信号を通信するステップと、
を有する方法。
【発明の詳細な説明】
【技術分野】
【０００１】
本出願は、“Ｓｙｓｔｅｍ  ａｎｄ  Ｍｅｔｈｏｄ  ｆｏｒ  Ｄｅｔｅｒｍｉｎｉｎｇ  ａ  Ｐｉｌｏｔ  Ｓｉｇｎａｌ”という名称であり、その出願が参照することによりここに援用される２０１３年３月１３日に出願された米国非仮出願番号１３／７９８，２９７の利益を請求する。
【０００２】
本発明は、一般に通信に関し、特にパイロット信号を決定するシステム及び方法に関する。
【背景技術】
【０００３】
４Ｇ  ＬＴＥとして市販されているロングターム・エボリューション（ＬＴＥ）システムは、携帯電話及びデータ端末のための高速無線通信のための規格である。ＬＴＥは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）  Ｅｎｈａｎｃｅｄ  Ｄａｔａ  Ｒａｔｅｓ  ｆｏｒ  ＧＳＭ  Ｅｖｏｌｕｔｉｏｎ（ＥＤＧＥ）及びＵｎｉｖｅｒｓａｌ  Ｍｏｂｉｌ  Ｔｅｌｅｃｏｍｍｕｎｉｃａｔｉｏｎｓ  Ｓｙｓｔｅｍ（ＵＭＴＳ）  Ｈｉｇｈ  Ｓｐｅｅｄ  Ｎｅｔｗｏｒｋ  Ａｃｃｅｓｓ（ＨＳＰＡ）ネットワーク技術に基づく。ＬＴＥシステムは、増加した容量及び速度を有する。ＬＴＥシステムは、新たなデジタル信号処理（ＤＳＰ）技術を利用するなど、コアネットワークの改良による異なる無線インタフェースを利用する。ＬＴＥは、第三世代パートナーシッププロジェクト（３ＧＰＰ）により開発されている。ＬＴＥシステムは、高いスペクトル効率、非常に低い遅延を有し、可変的な帯域幅をサポートし、シンプルなアーキテクチャを有する。
【０００４】
ＬＴＥシステムなどの通信システムでは、パイロット信号又は復調リファレンス信号（ＤＭＲＳ）は、監視、制御、均衡、連続性、同期又は参照目的のため通信システム上で送信され、通常は単一の周波数を有する信号である。
【発明の概要】
【０００５】
実施例によると、パイロット信号を構成する方法は、第１パイロット信号配置を定義するステップと、第２パイロット信号配置を定義するステップとを有する。また、当該方法は、通信コントローラが、定義された第１パイロット信号配置、定義された第２パイロット信号配置及び特性セットに従って第１決定パイロット信号配置を決定するステップと、通信コントローラが、第１決定パイロット信号配置を有するパイロット信号を送信するステップとを有する。
【０００６】
本発明の他の実施例によると、パイロット信号を構成する方法は、第１パイロット信号配置を定義するステップと、第２パイロット信号配置を定義するステップとを有する。また、当該方法は、ユーザ装置が、定義された第１パイロット信号配置、定義された第２パイロット信号配置及び特性セットに従って第１決定パイロット信号配置を決定するステップと、ユーザ装置が、第１決定パイロット信号配置を有するパイロット信号を通信するステップとを有する。
【０００７】
本発明の更なる実施例では、パイロット信号を構成する方法は、ノードが、特性セットを受信するステップと、特性セット、第１パイロット信号配置及び第２パイロット信号配置に従ってパイロット信号の周波数領域密度を決定するステップとを有する。また、当該法方法は、ノードが、決定された周波数領域密度によりパイロット信号を通信するステップを有する。
【０００８】
更なる実施例では、パイロット信号を構成する方法は、ノードが、特性セットを受信するステップと、特性セット、第１パイロット信号配置及び第２パイロット信号配置に従ってパイロット信号の時間領域密度を決定するステップとを有する。また、当該方法は、ノードが、決定された時間領域密度によりパイロット信号を通信するステップを有する。
【０００９】
上記は、以下の本発明の詳細な説明がより良好に理解されるように、本発明の実施例の特徴をやや広く概略した。本発明の実施例の更なる特徴及び効果は以下に説明され、本発明の請求項の主題を形成する。開示された着想及び特定の実施例は、本発明の同じ目的を実行するための他の構成又は処理を修正又は設計するための基礎として容易に利用されてもよいことが当業者により理解されるべきである。また、このような等価な構成は添付した請求項において提供される本発明の精神及び範囲から逸脱しないことが、当業者により理解されるべきである。
【図面の簡単な説明】
【００１０】
本発明及びそれの効果のより完全な理解のため、添付した図面に関してなされる以下の説明がここで参照される。
【図１】図１は、パイロット信号の３つの周波数領域の密度を示す。
【図２】図２は、パイロット信号の３つの時間領域の密度を示す。
【図３】図３は、スペクトル効率対ＳＮＲのグラフを示す。
【図４】図４は、パイロット信号配置を決定する実施例のシステムを示す。
【図５】図５は、パイロット信号配置を決定する実施例の方法を示す。
【図６】図６は、パイロット信号配置を決定する他の実施例の方法を示す。
【図７】図７は、パイロット信号配置を決定する更なる実施例の方法を示す。
【図８】図８は、パイロット信号配置を決定する実施例の方法のフローチャートを示す。
【図９】図９は、パイロット信号配置を決定する実施例の方法のテーブルを示す。
【図１０】図１０は、ＴＴＩの時間補間を示す。
【図１１】図１１は、汎用コンピュータシステムの実施例の概略図を示す。  異なる図における対応する数字及び記号は、別の指摘がない場合、通常は対応するパーツを参照する。図面は、実施例の関連する側面を明確に示すよう図示され、必ずしも縮尺通りに図示されているとは限らない。
【発明を実施するための形態】
【００１１】
１以上の実施例の例示的な実現形態が以下に提供されるが、開示されるシステム及び／又は方法は、現在知られているか、又は存在しているかにかかわらず、何れかの数の技術を用いて実現されてもよいことがまず理解されるべきである。当該開示は、ここに図示及び説明される一例となる設計及び実現形態を含む、以下に示される例示的な実現形態、図面及び技術に限定されるべきでなく、それらの均等の全範囲と共に添付した請求項の範囲内で変更されてもよい。
【００１２】
従来のＬＴＥシステムでは、大きなリソース量であるダウンロードリソースの約７％又は１４％を消費する固定的なパイロット密度がある。可変的なパイロット密度は、通常はより少ないダウンロードリソースを消費すべきである。
【００１３】
図１は、ｘ軸が時間を表し、ｙ軸が周波数を表す周波数領域におけるパイロット密度の３つの具体例を示す。暗いブロックはパイロットが送信されているシンボルを表す。高周波数密度１００は３／１２の直交周波数分割多重（ＯＦＤＭ）トーンの密度を有し、中密度１０２は２／１２のＯＦＤＭトーンの密度を有し、低密度１０４は１／１２のＯＦＤＭトーンの密度を有する。同様に、図２は、時間領域におけるパイロット密度の３つの具体例を示す。高時間密度１１０は４／１４のＯＦＤＭシンボルの密度を有し、中時間密度１１２は２／１４のＯＦＤＭシンボルの密度を有し、低密度１１４は１／１４のＯＦＤＭシンボルの密度を有する。
【００１４】
具体例では、周波数領域及び／又は時間領域におけるパイロット密度は、同じ基準を用いて通信コントローラ及びユーザ装置の双方によって独立して決定され、従って、それらは同じパイロット密度を決定する。通信コントローラ及びユーザ装置のパイロット密度は、通信コントローラとユーザ装置との間でパイロット密度を通信することなく決定されてもよい。パイロット密度を決定するのに利用される特性は、通信コントローラとユーザ装置との間で通信されてもよい。
【００１５】
通信コントローラは、通信システムにおいて行われる通信を規制するよう構成される装置であってもよい。通信コントローラの具体例は、進化型ノードＢ（ｅＮＢ）、ｅＮＢに結合され、制御するスイッチ、基地局、送信ポイント、リモート無線ヘッド、通信コントローラ、コントローラなどを含む。また、ユーザ装置の具体例は、移動局、加入者、ユーザ、端末、電話などを含む。
【００１６】
適応的なパイロット密度は、通常はパイロット密度を減少させる。時間及び周波数領域においてパイロット密度を減少させることによって、より多くのリソースエレメント（ＲＥ）がデータ送信のため利用されうる。従って、より良好なスループット及びスペクトル効率が実現されうる。図３は、スペクトル効率対信号対ノイズ比（ＳＮＲ）のグラフを示す。図３に示される具体例では、５つのリソースブロック（ＲＢ）、４つの通信コントローラのアンテナ、４つのユーザ装置のアンテナ、閉ループ空間多重（ＣＬＳＭ）、１つのレイヤ及びペデストリアンタイプＢ（ＰＢ）チャネルがある。曲線１９０は固定的なパイロット密度によるシステムのスペクトル効率を示し、曲線１９２は適応的なパイロット密度によるシステムのスペクトル効率を示す。以下の表１は、時間及び周波数領域における固定的なパイロット密度と比較して、適応的なパイロット密度からのパイロット密度ゲインを示す。ベースラインは高時間密度及び高周波数密度である。周波数領域における高パイロット密度について、時間領域において高パイロット密度による０．０％のゲイン、時間領域において中パイロット密度による１２．１％のゲイン、及び時間領域において低パイロット密度による１８．１％のゲインがある。また、周波数領域における中パイロット密度について、時間領域において高パイロット密度による３．４％のゲイン、時間領域において中パイロット密度による１３．８％のゲイン、及び時間領域において低パイロット密度による１９．１％のゲインがある。さらに、周波数領域における低パイロット密度について、時間領域において高パイロット密度による６．９％のゲイン、時間領域において中パイロット密度による１５．５％のゲイン、及び時間領域において低パイロット密度による１９．８％のゲインがある。
【表１】
2016517200.tif 000003
【００１７】
パイロット密度は、周波数領域のみ、時間領域のみ又は時間及び周波数領域の双方において適応的であってもよい。パイロット密度は、複数の方法により通信コントローラとユーザ装置との間で通信されてもよい。一例では、通信コントローラが、パイロット密度を決定し、送信の全てのスタート時間においてパイロット密度をユーザ装置に送信する。他の例では、ユーザ装置が、パイロット密度を決定し、送信の全てのスタート時間にパイロット密度を通信コントローラに送信する。あるいは、通信コントローラ及びユーザ装置は、所定のパイロットコンフィギュレーションセットに基づき同じ決定手順を共有する。通信コントローラ及びユーザ装置は、当該手順を独立に実行してもよく、ここでは、送信の全てのスタート時間においてはシグナリングが行われるとは限らない。一実施例では、パイロット密度はツリー構造に基づき決定される。他の実施例では、パイロット密度は、ルックアップテーブル（ＬＵＴ）を用いて決定されてもよい。ネットワーク及び通信コントローラは、頻繁なシグナリング又はフィードバックオーバヘッドなく、共通の決定手順を共有することによってパイロット密度を決定してもよい。具体例では、通信コントローラ及びユーザ装置の双方は、パイロット密度を通知することなくパイロット密度を独立に決定する。通信コントローラ又はユーザ装置の何れかが、パイロット密度を決定するのに用いられる手順を初期的に設定し、当該手順を初期的に送信してもよい。通信コントローラ及びユーザ装置が当該手順を有した後、それらの双方は同じ特性に基づきパイロット密度を独立に決定し、結果として同じパイロット密度を有することができる。通信コントローラ及びユーザ装置は、パイロット密度を決定するのに用いられる特性を送信してもよい。
【００１８】
図４は、パイロット密度を適応的に決定するシステム１２０を示す。システム１２０は、ユーザ装置１２２及び通信コントローラ１２４を有する。ユーザ装置１２２はメッセージを通信コントローラ１２４に送信し、通信コントローラ１２４はメッセージをユーザ装置１２２に送信し、パイロット密度を決定するのに利用されてもよい特性を交換する。パイロット密度を決定するのにシステム１２０により用いられるファクタは、ネットワークファクタ、ユーザ装置ファクタ及び環境ファクタを含む。ネットワークファクタは、送信タイプ、ユーザ装置の割り当てられたリソースブロック（ＲＢ）サイズ、変調符号化方式（ＭＣＳ）レベル及びユーザ装置の割り当てられたＴＴＩ長の１以上を含む。ユーザ装置ファクタは、ユーザ装置のモビリティ及びユーザ装置のチャネル推定能力を含む。ユーザ装置のチャネル推定能力に影響を与えるファクタは、ユーザ装置のアンテナ数及びユーザ装置により利用されるチャネル推定アルゴリズムを含む。環境ファクタは、チャネル遅延スプレッドを含む。
【００１９】
図５は、通信コントローラによるパイロット信号配置を適応的に決定する方法を示すフローチャート２００を示す。まず、ステップ２０１において、パイロット信号配置プール及び手順が通信コントローラにより定義される。例えば、パイロット信号配置プールは、時間領域、周波数領域又は時間領域と周波数領域との双方における高パイロット密度配置、中パイロット密度配置及び低パイロット密度配置を含むものであってもよい。パイロット信号配置手順は、ルックアップテーブル（ＬＵＴ）又はツリー決定構造であってもよい。当該手順は、特性セットを利用してパイロット密度を決定する。当該特性セットは、ユーザ装置により決定される値を有する第１特性サブセットと、通信コントローラにより決定される値を有する第２特性サブセットとに分割できる。それから、通信コントローラは、ステップ２０２において、第２特性サブセットの値を決定する。ステップ２０４において、ユーザ装置は、第１特性サブセットの値を決定し、通信コントローラにフィードバックしてもよい。次に、ステップ１８２において、通信コントローラは、パイロット信号配置手順及び特性を利用して、パイロット信号配置プールからパイロット信号配置を決定する。パイロット信号配置を決定した後、通信コントローラは、ステップ２０６において、パイロット信号配置をユーザ装置に通知する。それから、ステップ２０８において、通信コントローラは、パイロット信号をユーザ装置に送信する。最後に、ステップ２１０において、ユーザ装置は、ユーザ装置から受信したパイロット信号に基づき信号を検出する。
【００２０】
図６は、ユーザ装置によるパイロット信号配置を適応的に決定する方法のフローチャート２２０を示す。まず、ステップ２２１において、ユーザ装置は、パイロット信号配置プール及び手順を定義する。それから、ステップ２２２において、ユーザ装置は、パイロット信号手順により使用されるべき第１特性サブセットの値を決定する。通信コントローラは、第２特性サブセットの値を決定し、ユーザ装置に通知してもよい。次に、ステップ１７８において、ユーザ装置は、パイロット信号配置手順及び特性を利用して、パイロット信号配置プールからパイロット信号配置を決定する。パイロット信号配置を決定した後、ユーザ装置は、ステップ２２６において、パイロット信号配置を通信コントローラにフィードバックする。それから、ステップ２０８において、通信コントローラは、パイロット信号をユーザ装置に送信する。最後に、ステップ２１０において、ユーザ装置は、受信したパイロット信号に基づき信号を検出する。
【００２１】
図７は、パイロット信号配置を適応的に決定する方法を示すフローチャート１７０を示す。まず、ステップ１７２において、パイロット信号配置プール及び手順が定義される。これは、通信コントローラ、ユーザ装置又は双方により実行されてもよい。パイロット信号手順は、パイロット信号配置がパイロット信号配置プールセットからどのように選択されるかを定義する。例えば、パイロット信号配置プールは、周波数領域と時間領域との双方において高密度配置、中密度配置及び低密度配置を含むものであってもよい。それから、ステップ１７４において、パイロット信号配置及び手順を定義したノードは、他のノードとパイロット信号配置プール及び手順を共有する。例えば、ユーザ装置がパイロット信号配置プール及び手順を定義した場合、ユーザ装置はそれらを通信コントローラに送信する。しかしながら、通信コントローラがパイロット信号配置プール及び手順を決定した場合、通信コントローラはそれらをユーザ装置に送信する。
【００２２】
それから、ステップ１７６において、通信コントローラは特性を決定し、ユーザ装置に通知し、ステップ１７８において、ユーザ装置は、パイロット信号配置プール、パイロット信号配置手順及び特性に基づきパイロット信号配置を決定する。また、ステップ１８０において、ユーザ装置は特性を決定し、通信コントローラにフィードバックする。次に、ステップ１８２において、通信コントローラは、特性、パイロット信号配置プール及び手順に基づきパイロット配置を決定する。従って、通信コントローラ及びユーザ装置は、パイロット信号配置を直接通信することなく、同一のパイロット信号配置手順、パイロット信号配置プール及び特性を利用するため、送信の必ずしも全てのスタート時間においてパイロット信号配置を直接通信することなく、同一のパイロット信号配置を決定してもよい。一例では、ステップ１７６及びステップ１８０の一方しか実行されない。あるいは、ステップ１７６及びステップ１８０の双方が実行される。それから、ステップ１８４において、通信コントローラはパイロット信号配置をユーザ装置に送信する。最後に、ステップ１８６において、ユーザ装置は、受信したパイロット信号に基づき信号を検出する。
【００２３】
一実施例では、周波数領域パイロット密度は、チャネル遅延スプレッド、送信タイプ、通信コントローラの能力、ＲＢサイズ及びＭＣＳレベルに基づき決定される。周波数領域パイロット密度はツリー構造を用いて決定されてもよい。あるいは、周波数領域パイロット密度は、ＬＵＴを用いて決定されてもよい。図８は、周波数領域においてパイロット密度を決定するのに利用可能なツリー構造を示す。あるいは、他の決定木又はＬＵＴが利用されてもよい。まず、ステップ１３０において、チャネル遅延スプレッドが決定される。チャネル遅延スプレッドが、例えば、７μｓより大きい二乗平均平方根（ＲＭＳ）など長い場合、高パイロット密度１４４が利用される。しかしながら、チャネル遅延スプレッドが、例えば、７μｓ以下のＲＭＳ値など短いとき、ステップ１３２において、送信タイプが更に評価される。ステップ１３２において、送信タイプが結合送信（ＪＴ）であるとき、高パイロット密度１４４が利用され、送信タイプがＪＴ送信でないとき、ステップ１３４において、通信コントローラの能力が更に評価される。それから、ステップ１３４において、通信コントローラの能力が普通であるとき、ステップ１３６において、ＲＢサイズが更に評価される。ステップ１３６において、ＲＢサイズが小さいと判断された場合、例えば、ＲＢサイズが５ＲＢ以下である場合、高パイロット密度１４４が利用される。しかしながら、ステップ１３６において、ＲＢサイズが大きいと判断された場合、例えば、ＲＢサイズが５ＲＢより大きい場合、中パイロット密度１４６が利用される。ステップ１３４において決定された通信コントローラの能力が強い場合、ステップ１３８において、ＲＢサイズが決定される。ステップ１３８において、ＲＢサイズが小さいと判断されると、ステップ１４０において、ＭＣＳレベルが評価され、ステップ１３８において、ＲＢサイズが大きいと判断されると、ステップ１４２において、ＭＣＳレベルが評価される。ステップ１４０において、ＭＣＳレベルが６４−ＱＡＭ又は１６−ＱＡＭである場合、中パイロット密度１４６が利用され、ＭＣＳレベルがＱＰＳＫである場合、低パイロット密度１４８が利用される。しかしながら、ステップ１４２において、ＭＣＳレベルが６４−ＱＡＭである場合、中パイロット密度１４６が利用され、ＭＣＳレベルがＱＰＳＫ又は１６−ＱＡＭである場合、低パイロット密度１４８が利用される。
【００２４】
あるいは、時間領域パイロット密度がＬＵＴを用いて決定されてもよい。図９は、時間領域パイロット密度を決定するのに用いられるＬＵＴを示すテーブル１５０を示す。しかしながら、他のＬＵＴ又はツリー構造が、時間領域パイロット密度を決定するのに利用されてもよい。ユーザ装置のモビリティが低く、ＴＴＩ長が長いとき、低パイロット密度が利用される。例えば、低モビリティユーザ装置は固定的又は移動的であり、３０ｋｍ／時未満の速度で移動するかもしれない。高モビリティユーザ装置は、３０ｋｍ／時以上の速度で移動するかもしれない。具体例では、長いＴＴＩ長は５６個のＯＦＤＭシンボルを有し、中程度のＴＴＩ長は２８個のＯＦＤＭシンボルを有し、短いＴＴＩ長は１４個のＯＦＤＭシンボルを有する。ユーザ装置のモビリティが低く、ＴＴＩ長が中程度又は短いとき、中パイロット密度が利用される。また、ユーザ装置のモビリティが高く、ＴＴＩ長が長いとき、中パイロット密度が利用される。しかしながら、ユーザ装置のモビリティが高く、ＴＴＩ長が中程度又は短いとき、高パイロット密度が利用される。
【００２５】
具体例では、ユーザ装置がネットワークに入ると、それはそれのチャネル推定能力をネットワークに送信する。全てのデータ送信において、ネットワークがＭＣＳレベル及びＲＢサイズを決定した後、通信コントローラはパイロット密度を決定してもよい。ユーザ装置が、例えば、物理ダウンリンク制御チャネル（ＰＤＣＣＨ）などからＭＣＳレベル及びＲＢサイズを知った後、ユーザ装置はパイロット密度を決定してもよい。さらに、送信モードなどの明示的なシグナリング情報が、密度決定に役立つよう利用されてもよい。ユーザ装置は、パイロット密度に基づきデータを復調してもよい。
【００２６】
ユーザ装置は、それが結合送信によりサービス提供される可能性があることに気付いてもよい。結合送信を可能にするため、ユーザ装置のフィードバックは、例えば、ユーザ装置のフィードバック及び通信コントローラ間のフィードバックなどに基づく特別なモードを有する。結合送信モードがネットワークにより設定されると、通信コントローラは、それが結合送信によりサービス提供される可能性があることを知る。
【００２７】
チャネル遅延スプレッドは、主として通信コントローラの周囲の環境により決定される。通信コントローラの近傍のユーザ装置は同様のチャネル遅延スプレッドを有する。通信コントローラは、全ての近傍のユーザ装置からのチャネル遅延スプレッドを平均することによって共通のチャネル遅延スプレッドを推定してもよい。例えば、通信コントローラは、ユーザ装置のアップリンク信号のサイクリックプリフィックス（ＣＰ）に基づきチャネル遅延スプレッドを推定してもよい。１つの通信コントローラにより受信される全てのユーザ装置からのアップリンク信号に基づき、通信コントローラは、チャネル遅延スプレッドを推定し、それのカテゴリを決定してもよい。通信コントローラは、多数のユーザ装置のアップロード信号を累積し、チャネルランダム性を平均し、良好なチャネル遅延スプレッド推定を取得できる。推定後、チャネル遅延スプレッドは通信コントローラに記憶可能である。チャネル遅延スプレッドは必要に応じて更新されてもよい。
【００２８】
ユーザ装置のチャネル推定能力は、普通又は強力としてカテゴリ化されてもよい。ユーザ装置は、例えば、チャネル推定による信号対ノイズ比（ＳＮＲ）損失などに基づき、標準的な方法又は指標に基づき自らの能力を決定してもよい。
【００２９】
ユーザ装置のモビリティ及びＴＴＩ長は、時間領域においてパイロット密度に影響を与える。ユーザ装置が低モビリティを有するとき、通信コントローラは時間領域においてパイロット密度を低下させることができる。ユーザ装置が低モビリティを有するとき、それのチャネルは経時的にゆっくりと変化し、時間領域におけるパイロット密度は低下可能である。長いＴＴＩ長によると、より低いパイロット密度によってさえ良好なチャネル推定が時間補間により依然として実現される。しかしながら、短いＴＴＩ長によると、ユーザ装置は複数の過去のＴＴＩの受信信号を記憶可能であるため、同じ低下が可能である。複数の連続するＴＴＩが１つのユーザ装置に提供される場合、過去のＴＴＩのパイロットを利用して、ユーザ装置は、チャネル推定を支援するため補間を実行してもよい。図１０は、時間補間に利用可能な過去のＴＴＩからの記憶されているパイロット信号を示す図１６０を示す。
【００３０】
図１１は、ここに開示される装置及び方法を実現するのに利用可能な処理システム２７０のブロック図を示す。具体的な装置は、図示されたコンポーネントの全て又は一部のみを利用してもよく、統合レベルは装置毎に変わってもよい。さらに、装置は、複数の処理ユニット、プロセッサ、メモリ、通信コントローラ、ユーザ装置などのコンポーネントの複数のインスタンスを含むものであってもよい。処理システムは、マイクロフォン、マウス、タッチ画面、キーパッド、キーボードなどの１以上の入力装置を備えた処理ユニットを有してもよい。また、処理システム２７０は、スピーカ、プリンタ、ディスプレイなどの１以上の出力装置を備えてもよい。処理ユニットは、バスに接続される中央処理ユニット（ＣＰＵ）２７４、メモリ２７６、マスストレージ装置２７８、ビデオアダプタ２８０及びＩ／Ｏインタフェース２８８を有してもよい。
【００３１】
バスは、メモリバス、メモリコントローラ、周辺バス、ビデオバスなどを含む何れかのタイプの複数のバスアーキテクチャの１以上であってもよい。ＣＰＵ２７４は、何れかのタイプの電子データプロセッサを有してもよい。メモリ２７６は、スタティック・ランダム・アクセス・メモリ（ＳＲＡＭ）、ダイナミック・ランダム・アクセス・メモリ（ＤＲＡＭ）、シンクロナスＤＲＡＭ（ＳＤＲＡＭ）、読み出し専用メモリ（ＲＯＭ）、これらの組み合わせなどの何れかのタイプのシステムメモリを有してもよい。実施例では、メモリは、ブートアップにおいて利用されるＲＯＭ、プログラム用のＤＲＡＭ及びプログラム実行中に利用されるデータストレージを有してもよい。
【００３２】
マスストレージ装置２７８は、データ、プログラム及び他の情報を記憶し、データ、プログラム及び他の情報をバスを介しアクセス可能にするよう構成される何れかのタイプのストレージ装置を有してもよい。マスストレージ装置２７８は、例えば、ソリッドステートドライブ、ハードディスクドライブ、磁気ディスクドライブ、光ディスクドライブなどの１以上を有してもよい。
【００３３】
ビデオアダプタ２８０及びＩ／Ｏインタフェース２８８は、外部の入力及び出力装置を処理ユニットに結合するためのインタフェースを提供する。図示されるように、入力及び出力装置の具体例は、ビデオアダプタに結合されるディスプレイ及びＩ／Ｏインタフェースに結合されるマウス／キーボード／プリンタを有する。他の装置は処理ユニットに結合されてもよく、追加的な又はより少ないインタフェースカードが利用されてもよい。例えば、シリアルインタフェースカード（図示せず）が、プリンタ用のシリアルインタフェースを提供するため利用されてもよい。
【００３４】
処理ユニットはまた、イーサネットケーブルなどの有線リンク及び／又はノード又は異なるネットワークにアクセスするための無線リンクを有してもよい１以上のネットワークインタフェース２８４を有する。ネットワークインタフェース２８４は、処理ユニットがネットワークを介しリモートユニットと通信することを可能にする。例えば、ネットワークインタフェースは、１以上の通信コントローラ／送信アンテナ及び１以上のユーザ装置／受信アンテナを介し無線通信を提供してもよい。実施例では、処理ユニットは、他の処理ユニット、インターネット、リモートストレージ施設などのリモート装置とのデータ処理及び通信のためのローカルエリアネットワーク又はワイドエリアネットワークに結合される。
【００３５】
実施例の効果は、適応的パイロット密度を利用してオーバヘッドを低下し、通信コントローラの多様性を利用することを含む。実施例では、ネットワーク及び通信コントローラは、頻繁なシグナリング又はフィードバックオーバヘッドなく共通の決定手順を共有することによって、パイロット密度を決定する。実施例の効果は、シグナリング及び／又はフィードバックオーバヘッドの低下を含む。
【００３６】
複数の実施例が本開示において提供されたが、開示されたシステム及び方法は本開示の精神又は範囲から逸脱することなく他の多数の具体的な形態により実現されてもよいことが理解されるべきである。本例は限定的でなく例示的なものとしてみなされるべきであり、その意図はここに提供される詳細に限定されないことである。例えば、各種要素又はコンポーネントは、他のシステムに組み合わせ又は一体化されてもよく、又は、特定の特徴は省略されるか、又は実現されなくてもよい。
【００３７】
さらに、離散的又は分離的として各種実施例において説明及び図示された技術、システム、サブシステム及び方法は、本開示の範囲から逸脱することなく他のシステム、モジュール、技術又は方法と組み合わせ又は統合されてもよい。互いに結合、直接的に結合又は通信するとして図示又は説明された他のアイテムは、電気的、機械的又はそれ以外であるかにかかわらず、いくつかのインタフェース、装置又は中間コンポーネントに間接的に結合又は通信してもよい。変更、置換及び修正の他の具体例が当業者により認識可能であり、ここに開示された精神及び範囲から逸脱することなく可能である。
【図１】
2016517200.tif 000004
【図２】
2016517200.tif 000005
【図３】
2016517200.tif 000006
【図４】
2016517200.tif 000007
【図５】
2016517200.tif 000008
【図６】
2016517200.tif 000009
【図７】
2016517200.tif 000010
【図８】
2016517200.tif 000011
【図９】
2016517200.tif 000012
【図１０】
2016517200.tif 000013
【図１１】
2016517200.tif 000014
【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
パイロット信号を構成する方法であって、
第１パイロット信号配置を定義するステップと、
第２パイロット信号配置を定義するステップと、
通信コントローラが、前記定義された第１パイロット信号配置、前記定義された第２パイロット信号配置及び特性セットに従って第１決定パイロット信号配置を決定するステップと、
前記通信コントローラが、前記第１決定パイロット信号配置を有するパイロット信号を送信するステップと、
を有する方法。
【請求項２】
前記定義された第１パイロット信号配置は、周波数領域のパイロット信号配置を有し、前記定義された第２パイロット信号配置は、時間領域のパイロット信号配置を有する、請求項１記載の方法。
【請求項３】
前記第１決定パイロット信号配置は、前記定義された第１パイロット信号配置、前記定義された第２パイロット信号配置及び前記特性セットに従ってユーザ装置により決定された第２決定パイロット信号配置と同一である、請求項１記載の方法。
【請求項４】
前記通信コントローラが、前記定義された第１パイロット信号配置及び前記定義された第２パイロット信号配置を前記ユーザ装置に送信するステップを更に有する、請求項３記載の方法。
【請求項５】
前記通信コントローラが、前記特性セットの第１特性サブセットを前記ユーザ装置から受信するステップと、
前記通信コントローラが、前記特性セットの第２特性サブセットを前記ユーザ装置に送信するステップと、
を更に有する、請求項３記載の方法。
【請求項６】
前記第２特性サブセットは、ネットワーク又は環境特性を有し、前記第１特性サブセットは、環境又はユーザ装置特性を有する、請求項５記載の方法。
【請求項７】
前記通信コントローラが、前記特性セットの第１特性サブセットを受信するステップを更に有する、請求項１記載の方法。
【請求項８】
前記通信コントローラが、前記第１決定パイロット信号配置、又は前記定義された第１パイロット信号配置及び前記定義された第２パイロット信号配置を送信するステップを更に有する、請求項１記載の方法。
【請求項９】
前記特性セットは、複数のネットワーク特性、環境特性及び複数のユーザ装置特性を有する、請求項１記載の方法。
【請求項１０】
前記複数のネットワーク特性は、前記通信コントローラの送信タイプ、リソースブロックサイズ、変調符号化方式（ＭＣＳ）レベル及び送信時間間隔からなる群から選ばれる、請求項９記載の方法。
【請求項１１】
前記環境特性は、チャネル遅延スプレッド特性を有する、請求項９又は１０記載の方法。
【請求項１２】
前記複数のユーザ装置特性は、ユーザ装置のチャネル推定能力及びユーザ装置のモビリティからなる群から選ばれる、請求項９乃至１１何れか一項記載の方法。
【請求項１３】
パイロット信号を構成する方法であって、
第１パイロット信号配置を定義するステップと、
第２パイロット信号配置を定義するステップと、
ユーザ装置が、前記定義された第１パイロット信号配置、前記定義された第２パイロット信号配置及び特性セットに従って第１決定パイロット信号配置を決定するステップと、
前記ユーザ装置が、前記第１決定パイロット信号配置を有するパイロット信号を通信するステップと、
を有する方法。
【請求項１４】
前記第１決定パイロット信号配置は、前記定義された第１パイロット信号配置、前記定義された第２パイロット信号配置及び前記特性セットに従って通信コントローラにより決定された第２決定パイロット信号配置と同一である、請求項１３記載の方法。
【請求項１５】
前記定義された第１パイロット信号配置は、周波数領域のパイロット信号配置を有し、前記定義された第２パイロット信号配置は、時間領域のパイロット信号配置を有する、請求項１３記載の方法。
【請求項１６】
前記ユーザ装置が、前記第１決定パイロット信号配置、又は前記定義された第１パイロット信号配置及び前記定義された第２パイロット信号配置を送信するステップを更に有する、請求項１３記載の方法。
【請求項１７】
前記ユーザ装置が、前記特性セットの複数の特性を受信するステップを更に有する、請求項１３記載の方法。
【請求項１８】
前記ユーザ装置がパイロット信号を通信するステップは、前記ユーザ装置が前記パイロット信号を受信又は送信することを含む、請求項１３記載の方法。
【請求項１９】
請求項１乃至１２何れか一項記載の方法におけるステップを実現するよう構成される手段を有する通信コントローラ。
【請求項２０】
請求項１３乃至１８何れか一項記載の方法におけるステップを実現するよう構成される手段を有するユーザ装置。
【国際調査報告】
2016517200.tif 000015
2016517200.tif 000016